(57)【要約】      （修正有）【課題】フラッシング材を用いて防水性を向上させると共に屋根材の暴露率を拡大させた平板瓦の屋根葺きにおいて、上段の瓦の葺き足を調整できるフラッシング材及び平板瓦の葺設構造を提供する。【解決手段】下段の平板瓦１a、１aの表面２の溝部３にフラッシング材本体４の前端部を差込む差込み部５とこの差込み部５の差込み方向に上段の平板瓦１b、１bの側端部裏面を載置するための水切部６を設けたフラッシング材Ａ又は、フラッシング材本体４の表面５の両側端部の長手方向のに上段の平板瓦１b、１bの前端部が当接するための相対向して起立する折り曲げ可能な折り返し片１１、１１を形成し、上段の平板瓦１b、１bの葺き足Ｌに応じた位置決めを可能とした目盛り部７において、フラッシング材本体４の表面５に上段の平板瓦１b、１b、１ｃ、１ｃの葺き足Ｌに応じた位置決めを可能とした目盛り部７を設けたフラッシング材Ｂ及び平板瓦の葺設構造。【選択図】図２
2005068825.tif 000002
【特許請求の範囲】
【請求項１】
下段の平板瓦の表面の溝部にフラッシング材本体の前端部を差込む差込み部と該差込み部の差込み方向に上段の平板瓦の側端部裏面を載置するための水切部を設けたフラッシング材において、フラッシング材本体表面に上段の平板瓦の葺き足に応じた位置決めを可能とした目盛り部を設けたことを特徴とするフラッシング材。
【請求項２】
上記フラッシング材本体の表面に目盛り部を設けるとともに該フラッシング材本体の長手方向の両側端部に上段の平板瓦の前端部が当接するための相対向して起立して折り曲げ可能な折り返し片を形成することを特徴とする請求項１記載のフラッシング材。
【請求項３】
上記フラッシング材本体表面に形成される目盛り部が、印刷、刻設、腐蝕等のいづれかにより選択されて形成されることを特徴とする請求項１又２記載のフラッシング材。
【請求項４】
相対向する一段目（下段）の平板瓦の側端部の下面側にフラッシング材の上下の位置合わせを行ない、適宜の葺き足位置で固着して横方向に葺設し、これらの下段の平板瓦の１/２ピッチずれた位置にニ段目（上段）の平板瓦の側端部を重合葺設して、この平板瓦の側端部を一段目の平板瓦と同様にして平板瓦の側端部の下面側にフラッシング材の上下の位置合わせを行ない、適宜の葺き足位置で固着しながら横方向に葺設し、順次棟方向へ葺設することを特徴とする平板瓦の葺設構造。
【請求項５】
上記平板瓦の上端面にフラッシング材の略板厚分の挿入溝を形成し、フラッシング材の先端部が挿着されるようにすることを特徴とする請求項４記載の平板瓦の葺設構造。
【発明の詳細な説明】
【技術分野】
【０００１】
本発明は、セメント系、金属系、樹脂系等の平板瓦の葺設構造及びこの平板瓦を連設するためのフラッシング材に関するものである。
【背景技術】
【０００２】
従来から、特開２００２−２４２３７３号公報（特許文献１）に示される平板瓦の施工構造に開示されているように、平板瓦の曝露部の表面部において中央部でかつ非曝露部との境界付近と、連結材（フラッシング材）の中央部とに、位置合わせようのマークが設けられ、双方のマークを一致させて連結材が位置決めされるとともに、連結材が軒側の一端部を平板瓦棟側端部の非曝露部上に載置し、平板瓦に対して直角若しくはほぼ直角に配設されたものがある。
【０００３】
このようにすることで、棟側端部のみを非曝露部とし、大半を曝露部とした平板瓦を瓦葺きする際に、防水性を確保しつつ施工性の向上を図ることのできる平板瓦の施工構造にあります。
【０００４】
また、特開２００２−２７６０８９号公報（特許文献２）に示される瓦葺き構造に開示されているように、横方向に隣り合う２枚の平板瓦の突合せ端部の直下に棟側端に立上り部を設けた水切り兼用の連結材が介在され平板瓦の棟側端部のみを重ね代として瓦葺きするものがある。
【０００５】
このようにすることで、厚み１０ｍｍ程度の薄い平板瓦の曝露率を拡大してのかわら葺きにおいて、防水性能が向上し、瓦葺きの位置合わせが容易となり、作業効率も向上するものであります。
【０００６】
しかしながら、上記の特許文献１、２に記載の平板瓦の葺設構造では、いずれも連結材（フラッシング材）がフラッシング材本体表面に上段の平板瓦の葺き足に応じた位置決めを可能とした目盛り部を設けた構成とはなっていないので、フラッシング材を下段の平板瓦の側端部に配置することで、上段の平板瓦を目盛り部を介して上下の葺き足を調整ができるようにして曝露率を簡単に調整可能とすることのできないものであります。
【特許文献１】特開２００２−２４２３７３号公報
【特許文献２】特開２００２−２７６０８９号公報
【発明の開示】
【発明が解決しようとする課題】
【０００７】
本願発明は、上記従背景技術に鑑みて発明されたものであり、その課題は、フラッシング材本体表面に上段の平板瓦の葺き足に応じた位置決めを可能とした目盛り部を設けた平板瓦の葺き足をフラッシング材に形成された目盛り部を介して、上段の平板瓦の葺き足を簡単に変更することが可能となり、しかも確実に葺き足調整をすることができるフラッシング材及び平板瓦の葺設構造を提供することにある。
【課題を解決するための手段】
【０００８】
上記課題を解決するために、本願発明のフラッシング材は、下段の平板瓦の表面の溝部に下段の平板瓦の表面の溝部にフラッシング材本体の前端部を差込む差込み部とこの差込み部の差込み方向に上段の平板瓦の側端部裏面を載置するための水切部を設けたフラッシング材において、フラッシング材本体の表面に上段の平板瓦の葺き足に応じた位置決めを可能とした目盛り部を設けた平板瓦の葺き足をフラッシング材に形成された目盛り部を介して、上段の平板瓦の葺き足を簡単にしかも確実に調整することができものである。
【０００９】
また、本願発明の平板瓦の葺設構造は、相対向する一段目（下段）の平板瓦の側端部の下面側にフラッシング材の上下の位置合わせを行ない、適宜の葺き足位置で固着して横方向に葺設し、これらの下段の平板瓦の１/２ピッチずれた位置にニ段目（上段）の平板瓦の側端部を重合葺設して、この平板瓦の側端部を一段目の平板瓦と同様にして平板瓦の側端部の下面側にフラッシング材の上下の位置合わせを行ない、適宜の葺き足位置で固着しながら横方向に葺設し、順次棟方向へ葺設するようにするものである。
【発明の効果】
【００１０】
本願発明のフラッシング材においては、フラッシング材本体表面に上段の平板瓦の葺き足に応じた位置決めを可能とした目盛り部を設けているので、上段の平板瓦の葺き足調整が簡単にしかも確実に取付けすることができる。
【００１１】
また、平板瓦の側端部を一段目の平板瓦と同様にして平板瓦の側端部の下面側に目盛り部を設けたフラッシング材の上下の位置合わせを行ない、適宜の葺き足位置で固着しながら横方向に葺設することができるので、葺き足調整及び平板瓦の側端部の雨仕舞い施工が簡単である。
【発明を実施するための最良の形態】
【００１２】
図１乃至図８は、本願の請求項１〜３全てに対応した実施形態であるフラッシング材及びその平板瓦の葺設構造を示している。
【００１３】
この一実施形態であるフラッシング材は、図１乃至図４に示す如く、セメント系、スレート系、樹脂系、金属系等でできた下段の平板瓦１a、１aの表面２の溝部３にフラッシング材本体４の前端部を差込む差込み部５とこの差込み部５の差込み方向に上段の平板瓦１b、１bの側端部裏面を載置するための水切部６を設けたフラッシング材Ａにおいて、フラッシング材本体４の表面５に上段の平板瓦１b、１b、１ｃ、１ｃの葺き足Ｌに応じた位置決めを可能とした目盛り部７を設けたものである。
【００１４】
このとき、平板瓦１a、１a、１b、１b、１ｃ、１ｃは、釘８で屋根下地材である防水のためのルーフィング９を敷設した野地板１０に固着される。尚、目盛り部７は、フラッシング材本体４の表面の中心位置に十字状の目盛り部７が形成されている。この目盛り部７は、インキ等の印刷、ケガキのような刻設、エッチングのような腐蝕等のいづれかにより選択されても良いものである。
【００１５】
さらに、この目盛り部７の両側には、塩化ビニール樹脂等の軟質樹脂でできたヒレ状の水切部６が形成されている。したがって、この水切部６により上段の平板瓦１b、１bより雨水が浸入してきても下段の平板瓦１a、１aの表面側から排出される。
【００１６】
さらにまた、図５乃至図８に示した他の実施形態ように、セメント系、スレート系、樹脂系、金属系等でできた下段の平板瓦１a、１aの表面２の溝部３にフラッシング材本体４の前端部を差込む差込み部５と該差込み部５の差込み方向に上段の平板瓦１b、１bの側端部裏面を載置するための水切部６を設けたフラッシング材Ｂにおいて、フラッシング材本体４の表面５の両側端部の長手方向のに上段の平板瓦１b、１bの前端部が当接するための相対向して起立する折り曲げ可能な折り返し片１１、１１を形成し、上段の平板瓦１b、１bの葺き足Ｌに応じた位置決めを可能とした目盛り部７を設けたものである。
【００１７】
このとき、葺き足Ｌの表示のための目盛り部７と折り曲げ可能な折り返し片１１、１１の起点が一致することにより、平板瓦１a、１a、１b、１bの折り曲げが簡便で位置合わせが簡便となる。また、釘８で屋根下地材である防水のためのルーフィング９を敷設した野地板１０に固着される。
【００１８】
尚、目盛り部７は、フラッシング材本体４の表面の中心位置に十字状の目盛り部７が形成されている。この目盛り部７は、インキ等の印刷、ケガキのような刻設、エッチングのような腐蝕等のいづれかにより選択されても良いものである。
【００１９】
さらに、この目盛り部７の両側には、塩化ビニール樹脂等の軟質樹脂でできたヒレ状の水切部６が形成されている。したがって、この水切部６により上段の平板瓦１b、１bより雨水が浸入してきても下段の平板瓦１a、１aの表面側から排出される。又、フラッシング材本体４の表面の後端には立設部１３が設けられており、雨水のオーバーフローを防止するようにしたものであって、雨水の浸入がなければ形成しなくても良いものである。
【００２０】
そして、図７乃至図９に示す如く、セメント系、スレート系、樹脂系、金属系等でできた相対向する一段目（下段）の平板瓦１a、１aの側端部の下面側にフラッシング材Ａの上下の位置合わせを行ない、適宜の葺き足位置で固着して横方向に葺設し、これらの下段の平板瓦１a、１aの１/２ピッチずれた位置にニ段目（上段）の平板瓦１b、１bの側端部を重合葺設して、この平板瓦１b、１bの側端部を一段目の平板瓦１a、１aと同様にして平板瓦１a、１aの側端部の下面側にフラッシング材Ａ、Ｂの瓦１b、１b上下の位置合わせを行ない、適宜の葺き足位置で釘８で固着しながら横方向に葺設し、順次棟方向へ葺設するものである。
【００２１】
以下に、この実施形態のフラッシング材及び平板瓦の葺設構造を詳細に説明する。
【００２２】
図１に示したようなフラッシング材Ａにおいて、このフラッシング材Ａを図２乃至図４のように施工したものであって、フラッシング材本体４の表面の中心位置に十字状の目盛り部７が形成されていて、この目盛り部７の両側には、塩化ビニール樹脂等の軟質樹脂でできたヒレ状の水切部６が形成されたフラッシング材Ａの釘孔１２を介して屋根下地材である防水のためのルーフィング９を敷設した野地板１０に固着する。
【００２３】
このとき、フラッシング材Ａの上に下段の平板瓦１a、１aが載置され、フラッシング材Ａの上下の位置合わせを行ない、適宜の葺き足位置で固着して横方向に葺設し、これらの下段の平板瓦１a、１aの１/２ピッチずれた位置にニ段目、三段目の平板瓦１b、１b、１ｃ、１ｃの側端部を重合葺設して、この平板瓦１b、１bの側端部を一段目の平板瓦１a、１aと同様にして平板瓦１a、１aの側端部の下面側にフラッシング材Ａの瓦１b、１b上下の位置合わせを行ない、適宜の葺き足位置で釘８で固着しながら横方向に葺設し、順次棟方向へ葺設するものである。
【００２４】
また、図５に示したような異なる実施例のフラッシング材Ｂを用いることで、このフラッシング材Ｂを図６乃至図８のように施工したものであって、セメント系、スレート系、樹脂系、金属系等でできた下段の平板瓦１a、１aの表面２の溝部３にフラッシング材本体４の前端部を差込む差込み部５と該差込み部５の差込み方向に上段の平板瓦１b、１bの側端部裏面を載置するための水切部６を設けたフラッシング材Ｂにおいて、フラッシング材本体４の表面５の長手方向の両側端部に上段の平板瓦１b、１bの前端部が当接するための相対向して起立する折り曲げ可能な折り返し片１１、１１を形成し、上段の平板瓦１b、１bの葺き足Ｌに応じた位置決めを可能とした目盛り部７を設けたものである。
【００２５】
このとき、葺き足Ｌの表示のための目盛り部７と上方に折り曲げ可能な折り返し片１１、１１の起点が一致することにより、平板瓦１a、１a、１b、１bの後端部の位置合わせが簡便で平板瓦１b、１bの葺き足を横方向に一致させることができる。
【００２６】
このように、本願発明のフラッシング材Ａ、Ｂにおいては、フラッシング材本体４の表面に上段の平板瓦１b、１bの葺き足Ｌに応じた位置決めを可能とした目盛り部７を設けているので、上段の平板瓦１b、１bの葺き足調整が屋根面で異なった状態で施工する場合に、簡単でしかも確実に取付けすることができる。
【００２７】
また、平板瓦の側端部を一段目の平板瓦１a、１aと同様にして平板瓦１a、１aの側端部の下面側に目盛り部７を設けたフラッシング材Ａ、Ｂの上下の位置合わせを行ない、適宜の葺き足位置で固着しながら横方向に葺設することができるので、葺き足調整及び平板瓦の側端部の雨仕舞い施工が簡単である。
【００２８】
尚、フラッシング材本体４の表面の後端には立設部１３が設けられており、雨水のオーバーフローを防止するようにしたものであって、雨水の浸入がなければ形成しなくても良いものである。
【００２９】
したがって、本願発明のフラッシング材Ａ、Ｂを用いることで、フラッシング材本体表面に上段の平板瓦の葺き足に応じた位置決めを可能とした目盛り部を設けた平板瓦の葺き足をフラッシング材に形成された目盛り部を介して、上段の平板瓦の葺き足を簡単に変更することが可能となり、しかも確実に葺き足調整をすることができる。
【図面の簡単な説明】
【００３０】
【図１】本願発明の一実施形態であるフラッシング材を示す斜視図である。
【図２】同上のフラッシング材を用いて使用した平板瓦の葺設構造を示す要部の上面から見た斜視図である。
【図３】同上のフラッシング材の差込み部を平板瓦の溝部に用いて使用した平板瓦の葺設構造を示す要部の縦断面である。
【図４】同上のフラッシング材を用いて使用した平板瓦の葺設構造の縦断面図である。
【図５】本願発明の異なる実施形態であるフラッシング材を示す斜視図である。
【図６】同上のフラッシング材を用いて使用した平板瓦の葺設構造を示す要部の上面から見た平面図である。
【図７】同上のフラッシング材の差込み部を平板瓦の溝部に用いて使用した平板瓦の葺設構造を示す要部の縦断面である。
【図８】同上のフラッシング材を用いて使用した平板瓦の葺設構造の縦断面図である。
【符号の説明】
【００３１】
Ａ  フラッシング材
Ｂ  フラッシング材
１a  下段の平板瓦
１b  上段の平板瓦
２  表面
３  溝部
４  フラッシング材本体
５  差込み部
６  水切部
７  目盛り部
８  釘
９  ルーフィング
１０  野地板
１１  折り返し片
１２  釘孔
【図１】
2005068825.tif 000003
【図２】
2005068825.tif 000004
【図３】
2005068825.tif 000005
【図４】
2005068825.tif 000006
【図５】
2005068825.tif 000007
【図６】
2005068825.tif 000008
【図７】
2005068825.tif 000009
【図８】
2005068825.tif 000010